(57)【要約】ワークピースに対して線状要素を留めるための固定デバイスは、接触構成要素および固定構成要素を含む。接触構成要素は、典型的に、（ｉ）ワークピースに対する適用のための第１の接触表面と（ｉｉ）線状要素を受けるための第１の開口部とを含む。固定構成要素は、典型的に、第１の接触構成要素の側であって、第１の接触表面と反対の側で線状要素の一部を留める。張力が接触表面と反対の方向に線状要素に適用されるとき、固定構成要素は、線状要素の留められた部分がワークピース中を通過するのを妨げるように接触構成要素を係合する。【特許請求の範囲】
【請求項１】
ワークピースに対して線状要素を留めるための固定デバイスであって、該固定デバイスは、
（ｉ）ワークピースに対する適用のための第１の接触表面と（ｉｉ）線状要素を受けるための第１の開口部とを有する第１の接触構成要素と、
該第１の接触構成要素の側であって、該第１の接触表面と反対の側で該線状要素の一部を留めるための第１の固定構成要素と
を備え、
張力が該第１の接触表面と反対の方向に該線状要素に適用されるとき、該第１の固定構成要素は、該線状要素の留められた部分が該ワークピース中を通過するのを妨げるように該第１の接触構成要素を係合する、固定デバイス。
【請求項２】
ワークピースに対して線状要素を留めるための固定デバイスであって、該固定デバイスは、
（ｉ）ワークピースに対する適用のための第１の接触表面と（ｉｉ）線状要素を受けるための第１の開口部とを有する第１の接触構成要素と、
該第１の接触構成要素の側であって、該第１の接触表面と反対の側で該線状要素の一部を留めるための第１の固定構成要素と、
（ｉ）ワークピースに対する適用のための第２の接触表面と（ｉｉ）線状要素を受けるための第２の開口部とを有する第２の接触構成要素と、
該第２の接触構成要素の側であって、該第２の接触表面と反対の側で該線状要素の一部を留めるための第２の固定構成要素と
を備え、
張力が該第１の接触表面と反対の方向に該線状要素に適用されるとき、該第１の固定構成要素は、該線状要素の留められた部分が該ワークピース中を通過するのを妨げるように該第１の接触構成要素を係合し、
張力が該第２の接触表面と反対の方向に該線状要素に適用されるとき、該第２の固定構成要素は、該線状要素の留められた部分が該ワークピース中を通過するのを妨げるように該第２の接触構成要素を係合し、
該第１の固定構成要素および該第２の固定構成要素は、該第１の接触構成要素と該第２の接触構成要素との間に位置付けられる、固定デバイス。
【請求項３】
ワークピースに対して線状要素を留めるための固定デバイスであって、該固定デバイスは、
（ｉ）ワークピースに対する適用のための第１の接触表面と（ｉｉ）線状要素を受けるための第１の開口部とを有する第１の接触構成要素と、
該第１の接触構成要素の側であって、該第１の接触表面と反対の側で該線状要素の一部を留めるための第１の固定構成要素と、
（ｉ）ワークピースに対する適用のための第２の接触表面と（ｉｉ）線状要素を受けるための第２の開口部とを有する第２の接触構成要素と、
該第２の接触構成要素の側であって、該第２の接触表面と反対の側で該線状要素の一部を留めるための第２の固定構成要素と
を備え、
張力が該第１の接触表面と反対の方向に該線状要素に適用されるとき、該第１の固定構成要素は、該線状要素の留められた部分が該ワークピース中を通過するのを妨げるように該第１の接触構成要素を係合し、
張力が該第２の接触表面と反対の方向に該線状要素に適用されるとき、該第２の固定構成要素は、該線状要素の留められた部分が該ワークピース中を通過するのを妨げるように該第２の接触構成要素を係合し、
該第１の固定構成要素および該第２の固定構成要素は、該第１の接触構成要素と該第２の接触構成要素との間に位置付けられ、
該第２の接触構成要素および該第２の固定構成要素は、物理的に接続される、固定デバイス。
【請求項４】
前記第１の接触構成要素および前記第１の固定構成要素は、物理的に接続される、請求項１〜３のうちのいずれかの１項に記載の固定デバイス。
【請求項５】
前記接触表面と平行な平面で測定されると、前記接触構成要素と前記固定構成要素との間の係合の領域における前記固定デバイスの断面積は、（ｉ）該接触構成要素の平均断面積および（ｉｉ）該固定構成要素の平均断面積より小さい、請求項１〜３のうちのいずれかの１項に記載の固定デバイス。
【請求項６】
前記固定デバイスの外部表面であって、前記接触表面と反対の外部表面は、主に、滑らかな表面を備える、請求項１〜３のうちのいずれかの１項に記載の固定デバイス。
【請求項７】
（ｉ）前記接触表面から前記固定構成要素の端部であって、該接触表面と反対の端部まで測定されるときの前記固定デバイスの高さの、（ｉｉ）該接触表面の最大幅に対する比率は、ほぼ１であるか、またはほぼ１より小さい、請求項１〜３のうちのいずれかの１項に記載の固定デバイス。
【請求項８】
前記接触構成要素の開口部は、穴を備える、請求項１〜３のうちのいずれかの１項に記載の固定デバイス。
【請求項９】
前記接触構成要素の開口部は、グルーブを備える、請求項１〜３のうちのいずれかの１項に記載の固定デバイス。
【請求項１０】
前記接触構成要素の開口部は、チャンネルを備える、請求項１〜３のうちのいずれかの１項に記載の固定デバイス。
【請求項１１】
前記固定構成要素は、接着剤を備える、請求項１〜３のうちのいずれかの１項に記載の固定デバイス。
【請求項１２】
前記固定構成要素は、前記線状要素を係合するためのぎざぎざの表面を備える、請求項１〜３のうちのいずれかの１項に記載の固定デバイス。
【請求項１３】
前記固定デバイスは、平均的な人間の握力のみによって動かされる工具を使用して変形されることが可能である材料を備える、請求項１〜３のうちのいずれかの１項に記載の固定デバイス。
【請求項１４】
前記接触構成要素の接触表面は、接着剤、薬剤、および／またはパッドを備える、請求項１〜３のうちのいずれかの１項に記載の固定デバイス。
【発明の詳細な説明】
【技術分野】
【０００１】
（優先権出願に対する相互参照）
この国際出願は、（２０１２年１１月１６日に出願された）Ｆｉｘａｔｉｏｎ  Ｄｅｖｉｃｅ  ｆｏｒ  Ｓｅｃｕｒｉｎｇ  ａ  Ｌｉｎｅａｒ  Ｅｌｅｍｅｎｔ  ｔｏ  ａ  Ｗｏｒｋｐｉｅｃｅに関する米国特許出願番号６１／７２７，３７３、および（２０１３年３月１５日に出願された）Ｆｉｘａｔｉｏｎ  Ｄｅｖｉｃｅ  ｆｏｒ  Ｓｅｃｕｒｉｎｇ  ａ  Ｌｉｎｅａｒ  Ｅｌｅｍｅｎｔ  ｔｏ  ａ  Ｗｏｒｋｐｉｅｃｅに関する米国特許出願番号６１／７８７，０６２の利益を主張し、米国特許出願のそれぞれは、参照によって、これらの全体が組み入れられる。
【背景技術】
【０００２】
（背景）
一般的に、多くの産業、建築、および／または医療用途、ならびに他の活動において、ワークピース中の穿孔を通り抜ける線状要素の固定の必要性が存在する。線状要素は、剛性の構造（例えば、棒および／または釘）および可撓性（例えば、コードのような）の構造（例えば、ロープ、ケーブル、縫合糸、ワイヤーなど）を含むことが可能である。
【０００３】
いくつかの例において、線状要素上に作用する力は、単一の方向にのみ作用する。このような例は、天井の上面上に締め付けデバイスを伴う天井を通って進む固定具または装飾要素の懸垂であり得る。この例において、固定具および接続しているワイヤーの重さは、天井の上面に対して下向きに後に押される締め付けデバイスに移動する下向きの力を生じさせる。言い換えると、固定デバイスは、単一の力ベクトルの抵抗を提供する。
【０００４】
他の例において、建築における金属支持棒などにおいて、固定は、棒がワークピース（例えば、梁）に向かってまたはワークピースから離れて動くのを妨げる必要がある。言い換えると、固定デバイスは、並列される力ベクトルの抵抗を提供する。
【０００５】
線状要素上に簡単に配置されかつ線状要素に対する強い固定を有するデバイスは、第１の例（すなわち、単一の力ベクトルの抵抗）において単独でこの仕事を行うことが可能であり、このようなデバイスがワークピースに留められると、第２の例（並列される力ベクトルの抵抗）において安定させることが可能である。
【０００６】
皮膚の傷を閉じるための外科用縫合糸の設置は、ワークピースに対して線状要素を留めるデバイスが固定の他の方法と比較してワークフローおよび結果をどのように変え得るかについての典型例を提供する。従来の縫合方法において、縫合糸に取り付けられた針は、傷の両側を連続的に通り抜け、次いで、（針と反対の）「自由な」縫合糸の端部は、輪を形成するように針と自由端部との間の縫合糸のストランドの一部に結び付けられる。
【０００７】
この方法の問題は、組織が最適な治癒のために理想的に外転されない可能性があり、皮膚の表面上に存在する縫合糸のストランドの一部が外傷をもたらし、最終的に傷自身の方向に対して水平に存在する傷跡を生じさせることである。加えて、はさみの先端が皮膚の表面と縫合糸の輪との間を通る必要があり、それにより、縫合糸上に付加的な張力がかかるので、縫合糸の取り外しは、不快である場合がある。
【０００８】
他方で、外科用ボタンによる皮膚に対する外科用縫合糸の設置は、輪全体および水平な傷跡の可能性を除去する。縫合糸の自由端部（すなわち、針と反対の端部）が平坦な物体（例えば、外科用ボタン、縫合クリップ、または同様のデバイス）で留められかつ針が組織を通り抜ける場合、縫合糸が進むと、物体が物体の平坦な表面上で皮膚に接触させられ、縫合糸が組織まで通り抜けることおよび縫合糸上の力を皮膚に移動させることを妨げる。第２のボタンが傷の反対の側で縫合糸に留められる場合、適切な張力のもとで、傷は、接触させられ安定してそこで保持させられる。縫合糸のストランドは、切断され得、次いで、再利用され得る。従来の兆候では、外科用ボタンおよび／または縫合糸クリップは、比較的使用が厄介であり、それゆえ、広範囲に及ぶ一般的な利用を達成していない。
【０００９】
それゆえ、線状要素内の張力をワークピースの広い表面の方へと移動するために平坦な表面を提供しかつ単純および簡単な固定ならびに迅速な配置を容易にする固定デバイスに対する必要性が存在する。
【発明の概要】
【課題を解決するための手段】
【００１０】
（要約）
したがって、１つの態様において、本発明は、ワークピースに対して線状要素を留めるための固定デバイスであって、第１の接触構成要素および第１の固定構成要素を含む固定デバイスを包含する。第１の接触構成要素は、ワークピースに対する適用のための第１の接触表面と線状要素を受けるための第１の開口部とを有する。第１の固定構成要素は、第１の接触構成要素の側であって、第１の接触表面と反対の側で線状要素の一部を留める。張力が第１の接触表面と反対の方向に線状要素に適用されるとき、第１の固定構成要素は、線状要素の留められた部分がワークピース中を通過するのを妨げるように第１の接触構成要素を係合する。
【００１１】
例示的な実施形態において、固定デバイスは、さらに、第２の接触構成要素および第２の固定構成要素を含む。第２の接触構成要素は、ワークピースに対する適用のための第２の接触表面と線状要素を受けるための第２の開口部とを有する。第２の固定構成要素は、第２の接触構成要素の側であって、第２の接触表面と反対の側で線状要素の一部を留める。張力が第２の接触表面と反対の方向に線状要素に適用されるとき、第２の固定構成要素は、線状要素の留められた部分がワークピース中を通過するのを妨げるように第２の接触構成要素を係合する。典型的に、第１の固定構成要素および第２の固定構成要素は、第１の接触構成要素と第２の接触構成要素との間に位置付けられる。
【００１２】
別の例示的な実施形態において、第１の接触構成要素および第１の固定構成要素は、物理的に接続される。
【００１３】
さらに別の例示的な実施形態において、第２の接触構成要素および第２の固定構成要素は、物理的に接続される。
【００１４】
さらに別の例示的な実施形態において、接触表面と平行な平面で測定されると、接触構成要素と固定構成要素との間の係合の領域における固定デバイスの断面積は、（ｉ）接触構成要素の平均断面積および（ｉｉ）固定構成要素の平均断面積より小さい。
【００１５】
さらに別の例示的な実施形態において、固定デバイスの外部表面であって、接触表面と反対の外部表面は、主に、滑らかな表面を含む。
【００１６】
さらに別の例示的な実施形態において、（ｉ）接触表面から固定構成要素の端部であって、接触表面と反対の端部まで測定されるときの固定デバイスの高さの、（ｉｉ）接触表面の最大幅に対する比率は、ほぼ１であるか、またはほぼ１より小さい。
【００１７】
さらに別の例示的な実施形態において、接触構成要素の開口部は、穴を含む。
【００１８】
さらに別の例示的な実施形態において、接触構成要素の開口部は、グルーブを含む。
【００１９】
さらに別の例示的な実施形態において、固定構成要素は、接着剤を含む。
【００２０】
さらに別の例示的な実施形態において、固定構成要素は、線状要素を係合するためのぎざぎざの表面を含む。
【００２１】
さらに別の例示的な実施形態において、固定デバイスは、平均的な人間の握力のみによって動かされる工具を使用して変形されることが可能である材料で作られる。
【００２２】
さらに別の例示的な実施形態において、接触構成要素の接触表面は、接着剤、薬剤、および／またはパッドを含む。
【００２３】
前述の説明に役立つ要約、さらに発明の他の例示的な目的および／または利点、ならびに同一のことが達成される方法は、さらに、以下の詳細な記載および付随する図面の中で説明される。
【図面の簡単な説明】
【００２４】
【図１Ａ】図１Ａは、本発明による二方向固定デバイスの例示的な実施形態を描写する。
【図１Ｂ】図１Ｂは、本発明による二方向固定デバイスの例示的な実施形態を描写する。
【図１Ｃ】図１Ｃは、本発明による二方向固定デバイスの例示的な実施形態を描写する。
【図１Ｄ】図１Ｄは、本発明による二方向固定デバイスの例示的な実施形態を描写する。
【図１Ｅ】図１Ｅは、本発明による二方向固定デバイスの別の例示的な実施形態を描写する。
【図２Ａ】図２Ａは、本発明による二方向固定デバイスの別の例示的な実施形態と例示的なアプリケータデバイスとを使用する例示的な方法を描写する。
【図２Ｂ】図２Ｂは、本発明による二方向固定デバイスの別の例示的な実施形態と例示的なアプリケータデバイスとを使用する例示的な方法を描写する。
【図２Ｃ】図２Ｃは、本発明による二方向固定デバイスの別の例示的な実施形態と例示的なアプリケータデバイスとを使用する例示的な方法を描写する。
【図２Ｄ】図２Ｄは、本発明による二方向固定デバイスの別の例示的な実施形態と例示的なアプリケータデバイスとを使用する例示的な方法を描写する。
【図２Ｅ】図２Ｅは、本発明による二方向固定デバイスの別の例示的な実施形態と例示的なアプリケータデバイスとを使用する例示的な方法を描写する。
【図２Ｆ】図２Ｆは、本発明による二方向固定デバイスの別の例示的な実施形態と例示的なアプリケータデバイスとを使用する例示的な方法を描写する。
【図３Ａ】図３Ａは、本発明による二方向固定デバイスの別の例示的な実施形態を描写する。
【図３Ｂ】図３Ｂは、本発明による二方向固定デバイスの別の例示的な実施形態を描写する。
【図３Ｃ】図３Ｃは、本発明による二方向固定デバイスの別の例示的な実施形態を描写する。
【図３Ｄ】図３Ｄは、本発明による二方向固定デバイスの別の例示的な実施形態を描写する。
【図３Ｅ】図３Ｅは、本発明による二方向固定デバイスの別の例示的な実施形態を描写する。
【図３Ｆ】図３Ｆは、本発明による二方向固定デバイスの別の例示的な実施形態を描写する。
【図４Ａ】図４Ａは、本発明による二方向固定デバイスの別の例示的な実施形態と別の例示的なアプリケータデバイスとを使用する例示的な方法を描写する。
【図４Ｂ】図４Ｂは、図４Ａの二方向固定デバイスの例示的な実施形態を描写する。
【図４Ｃ】図４Ｃは、図４Ａの二方向固定デバイスの例示的な実施形態の一部を描写する。
【図４Ｄ】図４Ｄは、本発明による二方向固定デバイスの別の例示的な実施形態と別の例示的なアプリケータデバイスとを使用する別の例示的な方法を描写する。
【図４Ｅ】図４Ｅは、本発明による二方向固定デバイスの別の例示的な実施形態と別の例示的なアプリケータデバイスとを使用する別の例示的な方法を描写する。
【図５Ａ】図５Ａは、本発明による例示的な固定デバイスを描写する。
【図５Ｂ】図５Ｂは、本発明による二方向固定デバイスの別の例示的な実施形態を描写する。
【図５Ｃ】図５Ｃは、本発明による別の例示的な固定デバイスを描写する。
【図５Ｄ】図５Ｄは、本発明による別の例示的な固定デバイスを使用する例示的な方法を描写する。
【図５Ｅ】図５Ｅは、本発明による別の例示的な固定デバイスを使用する例示的な方法を描写する。
【図５Ｆ】図５Ｆは、本発明による別の例示的な固定デバイスを使用する例示的な方法を描写する。
【図６】図６は、本発明による二方向固定デバイスの別の例示的な実施形態を描写する。
【図７Ａ】図７Ａは、本発明による別の例示的な固定デバイスを描写する。
【図７Ｂ】図７Ｂは、本発明による別の例示的な固定デバイスおよび例示的な取り外し工具を使用する別の例示的な方法を描写する。
【図７Ｃ】図７Ｃは、本発明による別の例示的な固定デバイスおよび例示的な取り外し工具を使用する別の例示的な方法を描写する。
【図７Ｄ】図７Ｄは、本発明による別の例示的な固定デバイスおよび例示的な取り外し工具を使用する別の例示的な方法を描写する。
【図７Ｅ】図７Ｅは、本発明による別の例示的な固定デバイスおよび例示的な取り外し工具を使用する別の例示的な方法を描写する。
【図８Ａ】図８Ａは、本発明による別の例示的な固定デバイスを使用する別の例示的な方法を描写する。
【図８Ｂ】図８Ｂは、本発明による別の例示的な固定デバイスを使用する別の例示的な方法を描写する。
【図８Ｃ】図８Ｃは、本発明による別の例示的な固定デバイスを使用する別の例示的な方法を描写する。
【図９Ａ】図９Ａは、本発明による別の例示的な固定デバイスを使用する別の例示的な方法を描写する。
【図９Ｂ】図９Ｂは、本発明による別の例示的な固定デバイスを使用する別の例示的な方法を描写する。
【図１０】図１０は、本発明による別の例示的な固定デバイスを使用する別の例示的な方法を描写する。
【図１１】図１１Ａ〜１１Ｃは、本発明による別の例示的な固定デバイスを使用する別の例示的な方法を描写する。
【図１２】図１２Ａ〜１２Ｄは、本発明による二方向固定デバイスの別の例示的な実施形態と別の例示的なアプリケータデバイスとを使用する別の例示的な方法を描写する。
【図１３Ａ】図１３Ａは、本発明による別の例示的な固定デバイスを描写する。
【図１３Ｂ】図１３Ｂは、本発明による別の例示的な固定デバイスを使用する別の例示的な方法を描写する。
【図１３Ｃ】図１３Ｃは、本発明による別の例示的な固定デバイスを使用する別の例示的な方法を描写する。
【図１３Ｄ】図１３Ｄは、本発明による別の例示的な固定デバイスを使用する別の例示的な方法を描写する。
【図１３Ｅ】図１３Ｅは、本発明による別の例示的な固定デバイスを使用する別の例示的な方法を描写する。
【図１３Ｆ】図１３Ｆは、本発明による別の例示的な固定デバイスを使用する別の例示的な方法を描写する。
【図１３Ｇ】図１３Ｇは、本発明による別の例示的な固定デバイスを使用する別の例示的な方法を描写する。
【図１４】図１４Ａ〜１４Ｅは、本発明による二方向固定デバイスの別の例示的な実施形態と別の例示的なアプリケータデバイスとを使用する別の例示的な方法を描写する。
【図１５】図１５Ａ〜１５Ｄは、本発明による別の例示的な固定デバイスおよび例示的な取り外し工具を使用する別の例示的な方法を描写する。
【図１６Ａ】図１６Ａは、本発明による別の例示的な固定デバイスを描写する。
【図１６Ｂ】図１６Ｂは、本発明による別の例示的な固定デバイスを描写する。
【図１６Ｃ】図１６Ｃは、本発明による別の例示的な固定デバイスを描写する。
【図１６Ｄ】図１６Ｄは、本発明による別の例示的な固定デバイスを描写する。
【図１６Ｅ】図１６Ｅは、本発明による別の例示的な固定デバイスを描写する。
【図１７Ａ】図１７Ａは、本発明による別の例示的な固定デバイスを描写する。
【図１７Ｂ】図１７Ｂは、本発明による別の例示的な固定デバイスを描写する。
【図１８Ａ】図１８Ａは、本発明による別の例示的な固定デバイスを描写する。
【図１８Ｂ】図１８Ｂは、本発明による別の例示的な固定デバイスを使用する別の例示的な方法を描写する。
【図１８Ｃ】図１８Ｃは、本発明による別の例示的な固定デバイスを使用する別の例示的な方法を描写する。
【図１８Ｄ】図１８Ｄは、本発明による別の例示的な固定デバイスを使用する別の例示的な方法を描写する。
【図１９Ａ】図１９Ａは、本発明による別の例示的な固定デバイスを描写する。
【図１９Ｂ】図１９Ｂは、本発明による例示的な固定デバイスに含まれる例示的な連結要素のクローズアップ図を描写する。
【図１９Ｃ】図１９Ｃは、本発明による例示的な固定デバイスに含まれる例示的な連結要素のクローズアップ図を描写する。
【図１９Ｄ】図１９Ｄは、本発明による別の例示的な固定デバイスを描写する。
【図１９Ｅ】図１９Ｅは、本発明による例示的な固定デバイスに含まれる例示的な連結要素を描写する。
【図１９Ｆ】図１９Ｆは、本発明による例示的な固定デバイスに含まれる例示的な連結要素を描写する。
【図２０Ａ】図２０Ａは、本発明による別の例示的な固定デバイスを使用する別の例示的な方法を描写する。
【図２０Ｂ】図２０Ｂは、本発明による別の例示的な固定デバイスを使用する別の例示的な方法を描写する。
【図２０Ｃ】図２０Ｃは、本発明による別の例示的な固定デバイスを使用する別の例示的な方法を描写する。
【図２０Ｄ】図２０Ｄは、本発明による別の例示的な固定デバイスを使用する別の例示的な方法を描写する。
【図２０Ｅ】図２０Ｅは、本発明による別の例示的な固定デバイスを使用する別の例示的な方法を描写する。
【図２１】図２１Ａ〜２１Ｄは、本発明による別の例示的な固定デバイスと別の例示的なアプリケータデバイスとを使用する別の例示的な方法を描写する。
【図２２Ａ】図２２Ａは、本発明による別の例示的な固定デバイスを描写する。
【図２２Ｂ】図２２Ｂは、本発明による例示的な固定デバイスの例示的な固定構成要素を描写する。
【図２２Ｃ】図２２Ｃは、本発明による別の例示的な固定デバイスと別の例示的なアプリケータデバイスとを使用する別の例示的な方法を描写する。
【図２２Ｄ】図２２Ｄは、本発明による別の例示的な固定デバイスと別の例示的なアプリケータデバイスとを使用する別の例示的な方法を描写する。
【図２３】図２３Ａ〜２３Ｄは、本発明による別の例示的な固定デバイスと別の例示的なアプリケータデバイスとを使用する別の例示的な方法を描写する。
【発明を実施するための形態】
【００２５】
本発明は、線状要素内の張力をワークピースの広い表面の方へと移動するために平坦な表面を提供しかつ単純および簡単な固定ならびに迅速な配置を容易にする固定デバイスを包含する。例示的な実施形態において、固定デバイスは、変形可能ポリマーおよび補助接着剤のような材料で形成される。例示的な固定デバイスは、二方向であり、いずれの方向においても適用されることが可能である。言い換えると、固定デバイスは、互いに鏡像である２つの半部分を含む。
【００２６】
例示的な実施形態において、固定デバイスは、固定デバイスの他の構成要素（単数または複数）から容易に取り外される線状要素を留める固定構成要素を含む。典型的に、固定構成要素は、線状要素上の張力を増加させることなく取り外されることが可能である。線状要素が縫合糸のとき、このような実施形態は、縫合糸の取り外しを容易にしかつ患者が経験する痛みを減少させる。
【００２７】
図１Ａ〜１Ｅは、本発明による二方向固定デバイス１００の例示的な実施形態を描写する。二方向固定デバイスは、示されたトンネル、チャンネル、またはグルーブ（すなわち、第１の開口部１０３および第２の開口部１０７）の最中心点によって画定される長手方向軸に沿って反対方向に指向される２つの別個の固定デバイスで構成される。描写されているように、固定デバイス１００の左部分は、ワークピースに対する適用のための第１の接触表面１０２と、線状要素を受けるための第１の開口部１０３とを有する第１の接触構成要素１０１を含む。固定デバイス１００の左部分は、第１の接触構成要素１０１の側であって、第１の接触表面１０２と反対の側で線状要素の一部を留めるための第１の固定構成要素１０４も含む。
【００２８】
固定デバイス１００の右部分は、ワークピースに対する適用のための第２の接触表面１０６と、線状要素を受けるための第２の開口部１０７とを有する第２の接触構成要素１０５を含む。固定デバイス１００の右部分は、第２の接触構成要素１０５の側であって、第２の接触表面１０６と反対の側で線状要素の一部を留めるための第２の固定構成要素１０８も含む。
【００２９】
描写されているように、固定デバイスの左および右部分は、中間結合部１０９で物理的に接続される。さらに、第１の接触構成要素１０１および第１の固定構成要素１０４は、物理的に接続される。第２の接触構成要素１０５および第２の固定構成要素１０８も、物理的に接続される。しかし、これらの部分および構成要素のそれぞれは、互いから物理的に別個であり得る。
【００３０】
図１Ｂは、第１の開口部１０３および第２の開口部１０７が図１Ｃおよび１Ｄに描写されているチャンネルまたはグルーブよりもむしろ閉じられたトンネルを形成する固定デバイス１００の例示的な実施形態を描写する。
【００３１】
描写されているように、複合デバイス１００は、対称な個々の固定構成要素を有するが、他の例示的なデバイスは、非対称な構成要素を含み得る。さらに、２つの構成要素固定デバイスは、物理的に別個であることが可能であるか、または単一の複合ユニットとして形成されることが可能である。２つの構成要素固定デバイスのそれぞれの中で線状要素を留める作動をすると、構成要素固定デバイスは、分離されることが可能でありかつ独立して機能することが可能である。この実施形態において、それぞれの個々の構成要素固定デバイスは、中心（または中間）部分（例えば、第１の固定構成要素１０４または第２の固定構成要素１０８）よりも典型的には広い側面（または末端）部分（すなわち、第１の接触構成要素１０１または第２の接触構成要素１０５）を示している。中心（または中間）部分がそのように設計されるので、中心（または中間）部分は、グルーブ、ノッチ、チャンネル、またはトンネルの中で線状要素を使用に必要とされる程度まで抑制するように作動することが可能である。いくつかの場合、側面部分は、さらに、構成の変化またはこの機能を助長する他の変化を受け得る。個々の（構成要素）固定デバイスまたは複合二方向デバイスは、単一の材料で形成され得るが、他の場合では、中心（中間）および側面（末端）部分は、異なる材料で構成されることが可能である。
【００３２】
図２Ａ〜２Ｆは、本発明による二方向固定デバイス１００の例示的な実施形態を使用する例示的な方法を描写する。図２Ａ〜２Ｂは、どのようにして二方向固定デバイス１００が線状要素４０にまず適用されることが可能であるかを描写し、図２Ａ〜２Ｂの中で針４１を伴う縫合糸の例を示している。同一の原理は、任意の線状要素４０（剛性のものまたはコードのようなもの）に適用されることが可能である。固定されている線状要素４０は、線状要素４０の長手方向軸に沿う位置において、二方向固定デバイス１００の共通のチャンネル、グルーブまたはトンネルの中に位置付けられる。
【００３３】
図２Ｃ〜２Ｄに描写されているように、二方向デバイス１００は、次いで、線状要素４０が固定デバイス１００によって堅固に保持されるように作動する。この実施形態において、この固定は、展性のあるまたは変形可能な中心部分（例えば、第１の固定構成要素１０４、第２の固定構成要素１０８、および中間結合部分１０９）を変形するアプリケータデバイス５０によるものであり、したがって、含まれた線状要素４０に中心部分のチャンネル、グルーブ、またはトンネルの側面を圧縮する（図２Ｄ参照）。したがって、アプリケータデバイス５０は、クリンパとして機能する。
【００３４】
さらに、アプリケータデバイス５０は、中心（中間）部分の本体を収縮するための表面、作動後に二方向固定デバイス１００を２つの構成要素固定デバイスに分割するための切断要素（図２Ｅおよび２Ｆ参照）、およびデバイス１００を保持、指向、または配置するのに役立つ表面の特徴を含む、この機能を可能にする特定の特徴を示している。アプリケータデバイス５０は、手動の圧力、空気圧、電気、または他の手段によって機械的に作動することが可能である。加えて、アプリケータデバイス５０は、単一の（構成要素）固定デバイス、単一の二方向固定デバイスとして機能するように指向された２つの物理的に別個の（構成要素）固定デバイス、および／または二方向固定デバイスを配置するように設計され得る。加えて、アプリケータデバイス５０は、それぞれの配置後に新しい固定デバイスが個々に装填される単一装填デザインのものであり得るか、またはアプリケータデバイス５０によって新しい固定デバイスを配置位置に進ませるマルチ装填デバイスであり得る。アプリケータデバイス５０は、内視鏡器具として設計され得る。
【００３５】
図３Ａ〜３Ｆは、本発明および本発明の特徴による固定デバイス１００の複数の例示的な実施形態を描写する。固定デバイスは、多数の形状、材料組成、色、プロファイル、または他の特性を有することが可能である。例えば図３Ｃ〜３Ｅに示されているように、中心（中間、頂点）部分（すなわち、第１の固定構成要素１０４、第２の固定構成要素１０８、および／または中間結合部分１０９）は、（例えば、固定のためにより大きなチャンネル領域を提供する）滑らかなおよび／または高いプロファイルを有し得る。中心部分は、単独でと側面（末端、接触）部分（すなわち、第１の接触構成要素１０１および第２の接触構成要素１０５）と合わせてとの両方で滑らかな輪郭を生成する（例えば、図３Ａに示されているような）より低いプロファイルも有し得る。
【００３６】
図３Ｂは、物理的に別個である構造である側面（末端、接触）部分および中間（中心、固定）部分を有する固定デバイス１００の例示的な実施形態を描写する。中心部分は、図３Ｂの上部に示されているようなクリップの形を帯びることが可能である。
【００３７】
中心部分は、配置前に比較的まっすぐな構成を有することが可能であるか、あるいは固定デバイスの位置付け、整列、留め、適用、取り外し、または機能を補助するためのグルーブ、ノッチ、平らにされた表面、穴、テクスチャ、ふくらみ、または他の表面の特徴を示すことが可能である。同様に、側面（末端、接触）部分は、固定デバイスの位置付け、整列、留め、適用、取り外し、または機能を補助するための穴、ノッチ、グルーブ、テクスチャ、平らにされた表面、または他の表面の特徴のような輪郭の変化を示し得る。例えば、図３Ｅは、固定デバイスとワークピースとの間の境界面を改良するために杯状の輪郭を有する接触表面１０２を含む例示的な固定デバイス１００を描写する。図３Ｆは、アプリケータデバイス５０の中で固定デバイス１００の整列を容易にする平らな側面を有する例示的な固定構成要素の頭上図を描写する。このような特徴は、アプリケータデバイスによって示された輪郭と相互作用し得るか、あるいは配置の前、中、または後に固定デバイスが接触する表面の特徴に順応し得る。
【００３８】
図４Ａ〜４Ｃは、本発明による固定デバイス１００の例示的な実施形態とアプリケータデバイス５０の例示的な実施形態とを使用する例示的な方法を描写する。描写されているように、中心部分（例えば、第１の固定構成要素１０４、第２の固定構成要素１０８、および中間接続部分１０９）の変形は、構成要素（単一）固定デバイスまたは二方向デバイスの長手方向軸に関してほぼ９０度中心部分を曲げる動作によって起こる。曲げることは、さらに、線状要素４０を含むトンネル、グルーブ、またはノッチを圧縮するように中心部分を押し縮め、デバイスの高さを減少するために、変形された中心部分を側面（接触、末端）部分（すなわち、第１の接触構成要素１０１または第２の接触構成要素１０５）に対して位置づけることが可能である。例えば、図５Ｃ〜５Ｆを参照。加えて、この実施形態の側面部分は、変形された中心部分を受け入れるためのグルーブ、ノッチ、またはくぼみを示すことが可能である。例えば、図５Ｃ〜５Ｆを参照。中心部分は、曲げる角度が最も鋭い移行区域に穴、窓、またはグルーブ（すなわち、アクセス開口部１１０）が存在し、したがって、含まれた線状要素の方へのアクセスを提供するように作成されることが可能である。例えば、図５Ｃ〜５Ｆを参照。アクセス開口部１１０は、含まれた線状要素４０が中心部分の側面部分からの分離なしに分割されることを可能にする。加熱、統合または適用された接着剤（例えば、感圧性接着剤、シアノアクリレートなど）、光作動、機械的な作動（例えば、超音波エネルギー）、ピン、くさび、ねじ、柱、連結させる構成要素、または他の手段を含む、固定デバイス１００の中で線状要素４０の固定を容易にするための他の固定手段が用いられ得る。中心部分は、本来接着性を有する材料で構成されることが可能である。
【００３９】
図５Ａ〜６は、本発明および本発明の特徴による固定デバイス１００の複数の例示的な実施形態を描写する。図５Ａに描写されているように、中心部分（例えば、第１の固定構成要素１０４）および側面部分（例えば、第１の接触構成要素１０１）は、中心部分と側面部分との両方よりも（中心チャンネル、トンネル、またはグルーブによって画定される長手方向軸との関係において）より小さい幅のものである移行区域１１１で接続するように設計されることが可能である。移行区域１１１は、アプリケータ、格納コンテナ、アプリケータの装填、または他のデバイスの中で固定デバイス１００を位置付けるおよび／または留めることを容易にする。移行区域１１１は、中心部分および側面部分の分離が望まれる場合、固定デバイス１００のワークピースからの取り外しのときのように、そのような分離も容易にすることが可能である。
【００４０】
図６に描写されているように、中心チャンネル、グルーブ、またはトンネルは、固定デバイス１００の中で線状要素４０を留めるのに役立つストリエーション、横断するグルーブ、テクスチャ、接着剤、波、または他の特徴を示すことが可能である。これらの特徴は、側面部分、中間部分、またはその両方の部分に限定され得る。
【００４１】
側面部分は、図５Ｄおよび５Ｅに描写されているように、配置中に中心部分に順応するように構成されることが可能である。加えて、側面部分において順応する特徴の寸法は、中心部分の幅より小さい幅を有するように構成されることが可能であり、それによって、図５Ｆに描写されているように、中心部分が側面部分の順応する特徴の中に位置づけられるとき、中心部分に対する圧縮力を提供する。
【００４２】
側面（末端、接触）部分（すなわち、第１の接触構成要素または第２の接触構成要素）の接触表面は、典型的に中心部分と反対の表面であって、使用を向上するための接着剤、薬剤、パッド材料、吸収材料、または他の特徴を示すことが可能である。例えば、線状要素が縫合糸である場合に、皮膚または組織と接触するときに接触表面上にシリコーンコーティングを有することは、固定デバイスの機能を向上し得る。中心（中間）部分は、固定デバイスの留め、配置、または取り外しを助長するように機能し得るか、または（例えば、固定デバイスに対する付加構造を留めるための）二次固定ポイントとして使用され得る、スロット、グルーブ、ノッチ、および／または表面の特徴のような特徴を同様に示すことが可能である。
【００４３】
図７Ａ〜７Ｅは、本発明による固定デバイス１００の例示的な実施形態と取り外し工具６０の例示的な実施形態とを使用する例示的な方法を描写する。図７Ａは、取り外し工具６０が固定構成要素１０４と接触構成要素１０１との間を滑ることを可能にするように変形する可撓性固定構成要素１０４を含む固定デバイス１００を描写する。図７Ｂは、取り外し工具６０が固定構成要素１０４と接触構成要素１０１との間を滑ることを可能にするために固定構成要素１０４と接触構成要素１０１との間の狭い移行区域１１１を有する固定デバイス１００を描写する。
【００４４】
図７Ｃは、それぞれ接触構成要素１０１、固定構成要素１０２、および狭い移行区域１１１を有する２つの固定デバイス１００によってワークピース７０（例えば、患者の皮膚）に留められた線状要素４０を描写する。取り外し工具６０は、固定デバイス１００の１つの上に位置付けられる。図７Ｄにおいて、取り外し工具は、移行区域１１１および線状要素４０を係合および切断しており、それによって、固定構成要素１０２を接触構成要素１０１から切り離す。さらに、図７Ｄの中の線状要素４０は、右側の固定デバイス１００に留められるのみである。図７Ｅは、線状要素４０を伴った右側の固定デバイス１００のワークピース７０からの取り外しと、接触構成要素１０１のワークピース７０からの取り外しとを描写する。
【００４５】
一旦配置される（すなわち、ワークピースに留められる）と、固定デバイス１００は、中心（固定）部分の解放、中心部分の側面（接触）部分からの分離、中心部分を側面部分に対して伸ばすこと、解捻すること、または螺脱すること、ピンまたは他の固定構造を再位置付けすること、線状要素固定の区域と側面部分の接触表面との間の点で線状要素を分割すること、あるいは側面部分の接触表面と側面部分の接触表面が接する表面との間の点で線状要素を分割することを含む様々な方法によって取り外されることが可能である。線状要素は、中心部分を取り外すことによって解放されることが可能である。中心部分の解放取り外しは、中心部分と側面部分（すなわち、移行区域）との間の取り付けの数、大きさ、位置に依存して、部分的または完全であることが可能である。例えば、中心部分が２つまたはそれより多い物理的に別個の部分の中にあり、かつ取り外す力が中心部分の１つの構成要素と側面部分との間の取り付けを分割する場合、中心部分の一部（単数または複数）は、線状要素が解放されるときに変わらないままであり得る。
【００４６】
中心部分の側面部分からの取り外しは、中心部分と側面部分（すなわち、移行区域）との間の点での線状要素の分割も含むことが可能であり、したがって、中心部分と同時に線状要素を解放する。
【００４７】
別の例示的な実施形態において、中心部分または移行区域は、中心部分を側面部分から取り外すことなく線状要素が移行区域の中にアクセスおよび切断されることを可能にする穴、窓、グルーブ、または他の特徴を含むことが可能である。線状要素は、はさみ、ナイフ、外科用メス、または効果的に相互作用しかつ固定デバイスの上に位置付けられるように特に設計された特定の切断器具を使用して切断され得る。加えて、中心部分を側面部分から分離するデバイスの実施形態は、分割された中心部分が移行区域で側面部分から分離すると捕捉されるチャンバまたはスペースを含むことが可能である。
【００４８】
図７Ａ〜７Ｅは、配置されるときに中心部分および側面部分の全体的な複合形状が滑らかなロープロファイルの輪郭を帯びる固定デバイスの実施形態も示す。このような輪郭は、外部の力が固定デバイスに働き得るかまたは固定デバイスをずらし得る機会を減少させるなどの潜在利益を固定デバイスに提供し得る。例として、固定デバイスが皮膚を通して縫合糸を留めるために使用される外科用ボタンの形をしている場合、このようなロープロファイルは、一時的に固定デバイスをずらし得るようにデバイスに当たるか、デバイスがこすられるか、またはデバイスに衝突し、したがって患者に痛みを引き起こすか、または治している傷を傷つける機会を減少させ得る。
【００４９】
その上更なる使用方法において、線状要素が吸収可能外科用縫合糸材料である場合、縫合糸分解の自然な過程（例えば、加水分解）は、ユーザーの介在なしに進む。縫合糸が構造的一体性を維持するのに十分な抗張力を欠く時点で、両方の固定デバイスは、解放されかつ自然に落下し得るか、または組織表面から潜在的に拭い去られ得、任意の特定の縫合糸または固定デバイスの取り外しの必要性を除去する。
【００５０】
図８Ａ〜１０は、本発明による固定デバイス１００の例示的な実施形態を使用する例示的な方法を描写する。二方向固定デバイス１００を使用すると、二方向固定デバイスの配置が同時に、第１の二部分線状要素機能の第２の部分を完成させ、線状要素上で適切に指向されて単一の構成要素固定デバイスを「事前装填」し、したがって第２の二部分線状固定機能の第１の部分を完成させるサイクルが生成される。
【００５１】
図８Ａ〜１０は、例示的な目的で外科用縫合糸の設置を描写するが、方法およびデバイスの機能の原理は、剛性またはコードのような線状要素を有する他の二方向固定デバイスに適用し得る。図８Ａに描写されているサイクルの初めに、接触構成要素１０１および固定構成要素１０４を含む構成要素固定デバイス１００は、縫合糸４０の自由端部に取り付けられる。固定デバイス１００は、接触構成要素の接触表面１０２（すなわち、固定構成要素１０４と反対の表面）が中心部分（すなわち、固定構成要素１０４）より縫合糸針４１に近接するように指向される。針４１は、典型的に創縁部を近接させてなされ得るように組織を通り抜け得る。図８Ａ〜８Ｃ参照。針４１が組織から出現しかつ縫合糸４０（すなわち、線状要素）が進むと、第１の固定デバイス１００の側面部分（すなわち、接触構成要素１０１）の接触表面は、皮膚に接触させられ、創縁部は、縫合糸上の付加的な張力によって適切に整列させられる。図９Ａ参照。この張力および近接が維持される一方で、二方向固定デバイス１００は、傷の側であって、すでに取り付けられている構成要素固定デバイスと反対の側の組織から出現する縫合糸４０が二方向固定デバイス１００の中心チャンネル、グルーブ、またはスロットの中にあるように位置付けられる。二方向固定デバイス１００の中の縫合糸４０のこの位置が維持される一方で、二方向固定デバイス１００の１つの構成要素側面部分（すなわち、接触構成要素１０１）の接触表面１０２は、組織の第２の表面に対して位置付けられる。図９Ｂ参照。
【００５２】
アプリケータは、二方向固定デバイス１００を保持および整列するように使用されたものであり得、第１の固定構成要素１０５および第２の固定構成要素１０８の中で縫合糸４０を留めるように作動される。アプリケータの作動は、さらに、第１の固定構成要素１０５を第２の固定構成要素１０８から分離し、縫合糸４０を切断する。図１０参照。
【００５３】
配置の完成によって、傷は、傷の両側上の構成要素固定デバイスの中で留められた分割された縫合糸の両端部に近接したままであり、構成要素固定デバイスは、事前装填され、次のサイクルの開始に適切に指向される。言い換えると、図１０に描写されている縫合糸４０、針４１、および固定デバイス１００の第２の切り離された半部分は、図８Ａに描写されているように別の傷の近似を開始するために使用されることが可能である。
【００５４】
二方向固定デバイスの配置が１つの二部分固定機能の第２の半分と第２の二部分固定機能の第１の半分とを同時に完成させるので、固定デバイスの配置は、より速くより効果的となる。加えて、線状要素が中心部分の頂点に直接隣接して分割されるので、線状要素の長さの無駄が本質的になく、それによって、長さの関数としての線状要素のより多くの利用を可能にする。例として、外科用ボタンとしての固定デバイスの使用は、単一の縫合糸‐針の組み合わせで達成されることが可能である個々の傷の近接の数を最大にする。
【００５５】
図１１Ａは、例示的な固定デバイス１００の側面図を描写し、図１１Ｂは、同一の例示的な固定デバイス１００の頭上図を描写する。固定デバイス１００は、開口部１０３を有する接触構成要素１０１と固定構成要素１０４とを含む。固定デバイス１００は、接触構成要素１０１と固定構成要素１０４とを結合する移行区域１１１も含む。描写されている移行区域１１１は、接触構成要素１０１と固定構成要素１０４とを接続する柱または棒を含む。
【００５６】
本発明による固定デバイスの例示的な実施形態は、細長い、中隔のある、または不連続である移行区域によって側面（接触、末端）部分に接続される中心（中間）部分を含み得る。例えば、移行区域は、中心部分を側面部分に接続する柱または棒の形を示すことが可能であり、両方とも側面部分と中心部分との間の距離を増大させる「スペーサー」として潜在的に機能するが、デバイスの機能を容易にもする。
【００５７】
図１１Ｂは、固定デバイス１００の共通のチャンネル、グルーブ、またはスロットと関連付けられてオフセットされた移行区域接続１１１ａおよび１１１ｂを描写する。移行区域接続１１１ａおよび１１１ｂによって側面部分（すなわち、接触構成要素１０１）に取り付けられている中心部分（すなわち、固定構成要素１０４）の一部は、変形させる配置力の適用中、安定したままである一方で、接触構成要素１０１に取り付けられていない固定構成要素１０４の一部が共通のチャンネル、グルーブ、またはスロットと関連付けられて可動性がある。
【００５８】
図１１Ｂの例示的な実施形態は、柱、ピン、棒または他の表面の特徴（例えば、係止ピン１１２）を有する接触構成要素１０１を含み、近接されると、柱、ピン、棒または他の表面の特徴は、接触構成要素１０１の別の部分上の穴、スロット、グルーブ、または他の表面の特徴と接し、それらの特徴が接触構成要素１０１を連結、接続、または留めるようにする。側面部分（すなわち、接触構成要素１０１）と中心部分（すなわち、固定構成要素１０４）との間の取り付けを変化させることによって、中心部分は、側面部分と関連付けられて回転または枢動することも可能であり、したがって、線状要素を固定デバイスに留める。
【００５９】
図１２Ａ〜１２Ｄは、本発明による例示的な固定デバイス１００および例示的なアプリケータデバイス５０を使用する例示的な方法を描写する。単一の構成要素固定デバイス、同時に適用される２つの物理的に別個の構成要素固定デバイス、または二方向固定デバイスは、特別に設計された配置工具（例えば、アプリケータデバイス）に接するように意図される形状の特性を示すことが可能である。このような表面の特徴は、平坦な表面、スロット、グルーブ、ノッチ、斜面、または他の形を含むことが可能であり、接触表面または側面部分の本体の上、側面部分と中心部分との間の移行区域、中心部分の本体の中、または二方向デバイスの場合の２つの中心部分の結合部に存在することが可能である。
【００６０】
図１２Ａ〜１２Ｄは、例示的な表面の特徴を描写する。図１２Ａは、図１２Ａの左側に示された場所Ａ、Ｂ、およびＣにおいて接触構成要素の断面を固定デバイスの断面と比較している断面図Ａ、Ｂ、およびＣを含む。断面Ａに描写されているように、接触構成要素の断面は、円形であり、開口部１０３によって分断されている。断面Ｂに描写されているように、移行区域１１１は、アプリケータデバイス５０を受けるための開口部１０３と平行で平坦な表面を含む断面を有する。図１２Ｂ参照。断面Ｃに描写されているように、中間結合部１０９は、接触構成要素の断面より小さい円形の断面を有する。例示的な表面の特徴は、二方向固定デバイスの中心部分と側面部分との間の移行区域上の平らにされた表面を含む。
【００６１】
例示的なアプリケータデバイス５０は、アプリケータガイド５１を含み、アプリケータガイド５１は、アプリケータガイド５１が移行区域１１１の中および移行区域１１１の周囲を進むことが可能であるような大きさ、形状、および方向の平行な平坦な縁部を有する形状（平面を上方から見た場合）を有する本質的に平らな構成要素である。この例示的な実施形態において、アプリケータデバイス５０は、２つのこのようなアプリケータガイドを含み、アプリケータ工具が二方向固定デバイス１００上に進むと、それぞれのアプリケータガイドは、複合二方向固定デバイス１００のそれぞれの構成要素固定デバイスの移行区域１１１と交互嵌合する。アプリケータデバイス５０は、さらに、２つのアプリケータガイドの間にあり（図１２Ｂおよび１２Ｃの上部参照）かつアプリケータガイド５１によって画定される２つの平面に対して平行である平面で移動する２つのクリンパアーム５２を示す。
【００６２】
アプリケータデバイス５０が二方向固定デバイス１００上に進むと、共通のグルーブ、スロット、またはチャンネルがアプリケーションデバイス５０によって妨げられない状態で、固定デバイス１００は、アプリケータデバイス５０と関連付けられて整合性のある方向に保持され、アプリケータデバイス５０が線状要素と関連付けられて簡単に位置付けられることが可能であるようにする。クリンパアーム５２（または他の中心部分作動機構）は、配置のために適切に位置付けられかつ留められる。クリンパアーム５２が作動すると、中心部分は、変形され、線状要素は、第１の固定構成要素１０４および第２の固定構成要素１０８の中で留められる。クリンパアーム５２は、さらに、固定デバイス１００および／または線状要素の２つの半部分を分離する切断要素を含むことが可能である。加えて、移行区域１１１の形状、およびアプリケータガイド５１またはクリンパアーム５２のどちらかの形状は、作動するとクリンパアーム５２が中心部分を変形しかつ移行区域１１１の一部の長さが増大するように設計され得、それによって、アプリケータガイド５１の移行区域１１１からの解放を容易にする。
【００６３】
図１３Ａ〜１３Ｇは、本発明による例示的な固定デバイス１００を使用する例示的な方法を描写する。図１３Ａに描写されているように、例示的な二方向固定デバイス１００は、より狭い移行区域を伴わない接触構成要素と固定構成要素との間の滑らかな移行部を含むことが可能である。描写されているように、固定デバイスは、固定デバイス１００の長手方向長さを通り抜けるチャンネルにおいて線状要素４０を受ける。図１３Ａ〜１３Ｇは、図８Ａ〜１０に描写されている固定デバイス１００と類似する固定デバイス１００を使用する方法を描写する。固定デバイス１００の上部および下部は、（例えば、機械力を使用した）変形および／または熱によって分離され得る。線状要素４０は、このような分離、接着剤、または他の機構によって固定デバイス１００の中で留められ得る。
【００６４】
図１４Ａ〜１４Ｅは、本発明による固定デバイス１００の例示的な実施形態とアプリケータデバイス５０の例示的な実施形態とを使用する例示的な方法を描写する。構成要素固定デバイスまたは二方向固定デバイスの中心部分と側面部分（すなわち、固定構成要素１０４および１０８と接触構成要素１０１および１０５）との間の移行区域１１１は、固定デバイス１００の適用および取り外し中、利点を提供することが可能である。この実施形態において、アプリケータデバイス５０は、クリンパアーム５２を含む。固定デバイス１００と接触するクリンパアーム５２の表面は、圧縮のための平坦な表面と、２つの固定構成要素１０４と１０８との間で二方向固定デバイス１００および線状要素４０を分割するための隆起した特徴とを含む。アプリケータデバイス５０の切断表面が中間結合部１０９を係合および切断する一方で、アプリケータデバイス５０の圧縮表面による中心部分（すなわち、２つの固定構成要素１０４および１０８）の係合は、固定デバイス１００および線状要素４０を安定させ留める。
【００６５】
図１４Ａに描写されているように、固定デバイス１００は、第１の接触表面１０２と第１の開口部１０３とを有する第１の接触構成要素１０１、および第１の固定構成要素１０４を含む。固定デバイス１００は、第２の接触表面と第２の開口部とを有する第２の接触構成要素１０５、および第２の固定構成要素１０８も含む。第１の固定構成要素１０４および第２の固定構成要素１０８は、固定構成要素より狭い中間結合部１０９で結合される。固定構成要素１０４および１０８は、固定構成要素より狭い移行区域１１１によって接触構成要素１０１または１０５のうちのそれぞれの接触構成要素に結合される。
【００６６】
線状要素４０は、図１４Ａに描写されているように固定デバイスの開口部の中に置かれ得る。線状要素４０の端部は、図１４Ｂに描写されているようにワークピース７０を通り抜け得、図１４Ｃに描写されているように別の固定デバイス１００によって留められ得る。図１４Ｃに描写されているように、張力が線状要素４０に適用される一方で、アプリケータデバイス５０は、固定デバイス１００にわたって位置付けられる。アプリケータデバイスは、さらに、図１４Ｄに描写されているような圧縮力によって作動して、線状要素４０の周囲にある固定構成要素１０４および１０８を圧縮しかつ中間結合部１０９および線状要素４０を切断する。図１４Ｅは、固定デバイスの自由部分の取り外しを描写する。
【００６７】
図１５Ａ〜１５Ｄは、本発明による例示的な固定デバイス１００および例示的な取り外し工具６０を使用する例示的な方法を描写する。線状要素４０の固定が中心部分（すなわち、固定構成要素１０４）に限定されかつ側面部分（すなわち、接触構成要素１０１）が線状要素４０を圧縮または抑制しないとき、中心部分の分離は、線状要素４０の固定デバイス１００からの解放を助長することが可能である。中心部分と側面部分との分離後に中心部分が変わらないままである例示的な実施形態において、線状要素は、さらに、典型的に分割されるはずである。中心部分の側面部分からの完全または部分的な分離が線状要素を解放する（すなわち、中心部分が配置された方向のままでない）実施形態において、解放された中心部分は、取り外されることが可能であり、線状要素の固定は、線状要素の分割なしに解放され得る。
【００６８】
固定デバイスの取り外しは、取り外し工具によって助長されることが可能である。取り外し工具は、複数の形をとることが可能である。図１５Ａ〜１５Ｄは、近接される２つのアーム６１を有する例示的な取り外し工具６０を描写し、近接力は、中心部分を側面部分から分離させる。アーム６１の間のスペースは、分離された中心部分構成要素が含まれるように収集チャンバを含み得る。
【００６９】
別の実施形態において、固定デバイス取り外し工具は、１つの端部付近に穴を備える矩形箱（示されていない）であることが可能である。穴は、典型的に、固定デバイスの中心部分を収容するのに十分な大きさおよび形状のものである。矩形箱は、さらに、典型的に、取り外し工具の長手方向軸と平行な可動刃を含み、可動刃は、刃が取り外し工具内のスロットに沿って滑りかつ取り外し工具内の穴をふさぐように構成される。実際には、このような取り外し工具は、固定デバイスの中心部分が取り外し工具の穴の中にあり、かつ刃が進むと中心部分（および潜在的に含まれた線状部分）が側面部分から分離され、かつ解放された中心部分が取り外し工具の箱の中のスペースの方へ向けられるように位置付けられ得る。
【００７０】
図１６Ａ〜１６Ｅは、本発明による固定デバイス１００の例示的な実施形態を描写する。図１６Ｂおよび１６Ｃは、二方向固定デバイス１００のそれぞれの端部上の２つの接触構成要素１０１および１０５の接触表面１０２および１０６を描写する。点線によって描写されているように、接触表面１０２の縁部は、固定デバイス１００の位置付けを容易にするために取り外され得る。
【００７１】
図１６Ｄは、固定構成要素１０４および１０８において２つのアクセス開口部１１０を含む固定デバイス１００を描写する。アクセス開口部１１０は、固定デバイスのチャンネル内の線状要素に対するアクセスを提供する。固定デバイス１００がワークピースに留められているとき、線状要素は、線状要素上の張力を増大させることなくアクセス開口部１１０を通して切断され得る。
【００７２】
図１６Ｅは、固定構成要素１０４および１０８より狭い移行区域１１１および中間結合部１０９を含む固定デバイス１００を描写する。固定デバイス１００のこれらのより狭い部分は、例えばアプリケータデバイスまたは取り外し工具と相互作用することによって、固定デバイス１００の位置付けと線状要素の留めとを容易にすることが可能である。
【００７３】
固定デバイスの構成要素、区域、および結合部の構成における多くの変化は、固定デバイスの機能を向上させるように用いられることが可能である。例えば、側面部分の縁部は、円形の形状を帯びることが可能であるか、配置または位置付けを助長するために斜めの縁部を有するスロットまたはグルーブを備えて構成されることが可能であるか、またはオフセットされているか、螺旋状であるか、あるいは非対称であるチャンネルまたはグルーブを有することが可能である。同様の変化は、移行区域、中心部分、または二方向実施形態の２つの中心部分の間の接続部において用いられることが可能である。中心部分および接続部分は、さらに、穿孔、グルーブ、または穴を伴うチューブとして形成されることが可能であるか、または線状要素の固定強度を向上させるための波状またはジグザグ状の構成を示し得る。
【００７４】
図１７Ａは、接触構成要素１０１および１０５と固定構成要素１０４および１０８とを含む固定デバイスを描写する。固定構成要素１０４および１０８は、接触構成要素１０１と１０５との間で線状要素４０を留めるように固定構成要素１０４および１０８ならびに／あるいは線状要素４０の周囲で閉じられるクリップ１１３を含む。
【００７５】
図１７Ｂは、自身がクリップである固定構成要素１０４および１０８と接触構成要素１０１および１０５とを含む固定デバイスを描写する。したがって、固定構成要素１０４および１０８は、接触構成要素１０１および１０５に物理的に接続されない。固定構成要素１０４および１０８は、さらに、配置または取り外しを助長するように接され得るタブ、折り重ね、または他の表面の特徴を含み得る。
【００７６】
図４Ａに描写されているアプリケータ工具などのオフセットアプリケータ工具は、中心部分の圧縮に加えて折り重ねまたは曲げを導入することによって固定デバイス配置の機構を変化させることが可能である。固定は、中心部分に組み入れられるかまたはアプリケータ工具の機能として適用される接着剤（例えば、感圧接着剤）の存在によって助長されることが可能である。
【００７７】
図１８Ａは、開口部１０３を有する接触構成要素１０１を含む例示的な固定デバイス１００を描写する。線状要素は、接触構成要素１０１に物理的に接続されていない固定構成要素によって例示的な固定デバイス１００の中に留められる。
【００７８】
図１８Ｂ〜１８Ｄは、接触構成要素１０１および連結固定構成要素１０４を含む例示的な固定デバイス１００を描写する。図１８Ｂおよび１８Ｃに描写されている事前装填の状態において、固定構成要素１０４は、接触構成要素の開口部１０３よりわずかに狭い（すなわち、Ｗは、Ｗ＋より大きい）線状要素を受けるための開口部を含む。ユーザーは、固定デバイス１００の中に線状要素４０を置き、（例えば、手動でまたはアプリケータデバイスを使用して、開口部によって画定される固定デバイスの側面を共に押すことによって）固定デバイスを作動させる。開口部によって画定される固定構成要素１０４の側面は、線状要素４０をしっかりと保持するように連結する。固定構成要素１０４または接触構成要素１０１は、変形後に固定デバイス１００を留めるのに役立つ付属固定構造（例えば、係止ピン）を含み得る。
【００７９】
固定デバイスは、特定の機能を適合させるように多くの異なるプロファイルで構成されることが可能である。加えて、デバイスは、異なる部分が移行（例えば、螺旋状からディスク状の構成への移行）すると連結状態になる製造された状態（静止状態）から「事前に引っ張られた」配置状態に変形されることが可能である。図２０Ａ〜２０Ｃは、螺旋状からディスク状の構成へと移行する例示的な固定デバイス１００を描写する。中心部分または側面部分のどちらかは、デバイス機能、線状要素の留めの整備、または取り外しを助長するように接するまたは連結する構成要素を示すことが可能である。
【００８０】
図１９Ａ〜１９Ｄは、例示的な固定デバイス１００および連結の特徴を描写する。図１９Ａに描写されているように、接触構成要素１０１および１０５、移行区域１１１、固定構成要素１０４および１０８、ならびに中間結合部１０９は、全て連結要素を含む。図１９Ｂおよび１９Ｃは、互いに係合する湾曲表面、ノッチ、およびホックを含む例示的な連結要素のクローズアップ図を描写する。
【００８１】
図１９Ｄは、線状要素４０に留められる連結要素を含む別の例示的な固定デバイス１００を描写する。固定デバイスの連結要素は、固定デバイス１００の内部連結表面上にあり得、および／または固定デバイス１００の外部表面と整合する外部輪郭を有し得る。図１９Ｅは、スロットまたはホックを係合するラッチまたはピンを含む例示的な連結要素を描写する。図１９Ｆは、スロットまたはホックを係合するラッチまたはピンを含む別の例示的な連結要素を描写する。
【００８２】
例示的な固定デバイスは、配置において、含まれる線状要素のしっかりした固定を助長するように、受けるチャンネル、スロット、またはグルーブの中に特定の湾曲、ノッチ、グルーブ、ピン、スロット、波、または他の表面の特徴を含むことが可能である。
【００８３】
図２０Ａ〜２０Ｃは、本発明による固定デバイス１００の例示的な実施形態を描写する。固定デバイスの開口部１０３は、固定デバイス１００の機能の表示を容易にするように、固定デバイス１００の外周と比較して比較的大きい開口部として描写されている。典型的に、開口部１０３は、固定デバイス１００の外周と比較してとても小さい円周を有する。
【００８４】
固定デバイス１００は、側面部分（すなわち、接触構成要素）が図２０Ａのように静止の状態（自然状態）において非平面であるように製造されることが可能であり、螺旋は３６０度より大きい回転を表す。この実施形態において、共通のグルーブの境界を表す側面部分の縁部は、デバイスの軸に対して直角の同一の水平面にはない。同様に、中心部分の一部は、固定デバイスの軸と関連付けられて異なる水平面にある。デバイスの配置は、上面視において側面部分の半径を増大させ側面部分を平らにする事前配置変形（「事前装填」）力の適用を含み、図２０Ｂに描写されているように線状要素を受けるグルーブの側面部分がデバイスの長手方向軸と関連付けられて同様の平面内にあるようにする。この事前に引っ張る力は、側面部分の本体内に応力を加える。次いで、線状要素は、現在可視の共通のチャンネルの中に位置付けられ、変形事前装填力は、図２０Ｃのように側面部分および中心部分が連結されるように解放される。側面部分上で加えられた応力は、デバイスの配置によって部分的にのみ解放されるので、応力は、中心部分を近接させかつ線状要素を留める進行力を提供する。配置順序の反転は、固定デバイスを取り外す。隆起、グルーブ、スロット、または他の特徴は、自然「静止」状態から事前配置（事前に引っ張られた）状態への動き、または事前配置（事前に引っ張られた）状態から配置状態への動きを誘導するか、または同様に逆過程（固定デバイスの取り外し）を補助するように含まれ得る。
【００８５】
図２０Ｄおよび２０Ｅは、図２０Ａ〜２０Ｃに描写されている固定デバイスと同一の方法で機能する接触構成要素１０１および固定構成要素１０４を含む例示的な固定デバイス１００を描写する。ただし、図２０Ｄは、図２０Ｂのものに対応する状態の例示的な固定デバイス１００を描写する。線状要素４０は、図２０Ｄにおいて可視である固定デバイスの開口部の中に置かれる。事前装填力は、次いで、図２０Ｅのように固定デバイス１００が線状要素４０の周囲で閉じるように解放される。
【００８６】
図２１Ａ〜２１Ｄは、例示的な固定デバイス１００および例示的なアプリケータデバイス５０を描写する。固定デバイス１００は、接触表面１０２および開口部１０３を有する接触構成要素１０１を含む。接触構成要素１０１は、開口部１０３を画定する受容ねじ山を有するテーパー壁を有する。固定デバイス１００は、さらに、固定構成要素１０４（例えば、中空ねじ）を含む。固定構成要素１０４は、チャンネル１１４および接触構成要素１０１の受容ねじ山を係合するねじ山を含む。図２１Ｂに描写されているように、接触構成要素のテーパー壁および固定構成要素のチャンネル１１４は、線状要素の設置を容易にするための隙間を含む。
【００８７】
図２１Ｃは、固定デバイス１００およびアプリケータデバイス５０の中に装填される線状要素４０を描写する。アプリケータデバイス５０は、線状要素４０を衝突、分割、損傷させることなく線状要素４０を収容するようにスロット５３（例えば、スロット、グルーブ、ノッチ、穴、チャンネル、スタードライブ）を含む。アプリケータデバイス５０の先端は、（例えば、描写されているような十字ねじの境界面を介して）固定構成要素１０４を係合する。回転力がアプリケータデバイス５０に適用されるとき、固定構成要素１０４は、接触構成要素１０１の中へより深く螺入される。典型的に、固定構成要素１０４の少なくとも下部は、少し変形可能な材料である。固定構成要素１０４が接触構成要素１０１の中へ押し進められると、固定構成要素１０４の少なくとも下部は、線状要素４０の周囲を閉じるように変形する（すなわち、固定デバイス１０４が圧縮されるとチャンネル１１４が小さくなる）。
【００８８】
固定構成要素１０４は、２つまたはそれより多い部分であることが可能であるか、または回転動作が加えられるとチャンネル１１４がより効果的に圧縮される（中心に進む）ようにスロットまたはグルーブを示すことが可能である。固定構成要素１０４は、さらに、ねじることが可能でありかつ共通のチャンネル、スロット、またはグルーブの直径を減少することが可能である変形可能な移行区域要素によって接触構成要素１０１に接続されることが可能である。固定構成要素１０４が接触構成要素１０１と関連付けられて回転するとき、固定構成要素１０４は、柱、タブ、または接触構成要素１０１に連結する他の特徴を示し得る。これらの実施形態のそれぞれにおいて、回転力の反転は、固定された線状要素を解放する。
【００８９】
図２２Ａ〜２２Ｄは、接触構成要素１０１および固定構成要素１０４を含む例示的な固定デバイス１００を描写する。接触構成要素１０１は、開口部１０３を有する。固定構成要素１０４は、それぞれチャンネル１１４およびＴ型柱１１５を含み、開口部１０３は、特定の方向のみでＴ型柱１１５を受けるように形作られる。図２２Ｃおよび２２Ｄの中の接触構成要素の開口部１０３は、さらに、接触構成要素１０１の外縁部まで延在する。図２２Ｂは、固定構成要素１０４の底面図を描写する。
【００９０】
線状要素は、開口部１０３を通り抜け得、チャンネル１１４の中へ進み得る。図２２Ａに描写されているように、固定構成要素１０４およびそのＴ型柱１１５は、開口部１０３に整列され、開口部１０３の中に挿入される。固定構成要素１０４は、図２２Ｃの頭上図に描写されているように、開口部１０３およびチャンネル１１４を整列するように接触構成要素１０１の中で回転され得る。次いで、線状要素４０は、開口部１０３およびチャンネル１１４の中に提供され得る。固定構成要素１０４は、図２２Ｄに描写されているように、線状要素４０を留めるように接触構成要素１０１の中で回転される。固定構成要素１０４が接触構成要素１０１の中で回転するとき、接触構成要素１０１および固定構成要素１０４は、線状要素に適用される力を増大させるようにＴ型柱１１５と相互作用する傾斜路、タブ、および／または柱などの付加的な特徴とともに提供され得る。
【００９１】
図２３Ａ〜２３Ｄは、本発明による例示的な固定デバイスおよび例示的なアプリケータデバイス５０を描写する。固定デバイス１００は、接触構成要素１０１、固定構成要素１０４、および移行区域１１１を含む。移行区域１１１および固定構成要素１０４の表面輪郭は、固定デバイス１００の配置および固定デバイス１００の取り外しを容易にすることが可能である。この実施形態において、移行区域１１１は、点線によって図２３Ａに示されているように反対の側に２つの平行な平坦な表面を有する。固定構成要素１０４は、上面図からわかるように六角形の形状を有する。固定構成要素１０４の接触構成要素１０１からの分離は、固定デバイス１００の共通のチャンネル１１４（例えば、スロットまたはグルーブ）によって画定される軸の周囲で固定構成要素１０４を回すまたはねじることによって達成されることが可能である。固定デバイス１００の平坦な表面は、さらに取り外し工具として役立ち得るアプリケータデバイス５０と相互作用する。
【００９２】
六角形の形状および平行な表面が記載されているが、他の形状の変化は、本発明の範囲内である。例えば、固定構成要素１０４は、六角形の形状よりむしろ２つの平行な平坦な表面を含み得る。接触構成要素１０１は、さらに、取り外しを容易にするのに役立つ平坦な表面、穴、スロット、グルーブ、またはノッチなどと同様の輪郭の特徴を含み得る。加えて、側面部分における共通のスロットまたはグルーブは、取り外し工具に対する安定点として機能することが可能である。
【００９３】
この方法において、３つの部分（すなわち、接触構成要素１０１、移行区域１１１、および／または固定構成要素１０４）のうちの任意の２つは、固定構成要素１０４を接触構成要素１０１から分離するように係合されることが可能である。例えば、アプリケータデバイス５０は、この目的で、接触構成要素１０１および移行区域１１１、接触構成要素１０１および固定構成要素１０４、または移行区域１１１および固定構成要素１０４を係合し得る。
（例示的な実施形態）
［１］
ワークピースにおいて穿孔を通って延在する線状要素を留めるための固定デバイスであって、該固定デバイスは、
ａ．ワークピースを係合するように形作られた１つの端部上に接触表面を有する基部部分と、
ｂ．該基部部分の頂点（中心）部分であって、該接触表面と反対の頂点（中心）部分と、
ｃ．線状要素を収容するように形作られたグルーブ、スロット、チャンネル、または受容輪郭であって、該グルーブ、スロット、チャンネル、または受容輪郭は、該基部部分を通って該頂点部分の中に最低限延在する、グルーブ、スロット、チャンネル、または受容輪郭と
を備え、
ｄ．事前配置静止状態で該グルーブ、スロット、チャンネル、または受容輪郭は、該固定デバイスの長手方向軸を画定し、
該固定デバイスは、変形可能であるように作成され、該変形が該グルーブ、スロット、チャンネル、または受容輪郭の中のスペースを制限するようにし、それによって、変形配置時に該グルーブ、スロット、チャンネル、または受容輪郭の中に位置付けられる線状要素を留め、
該線状要素がワークピースを通って延在しかつこのように留められる線状要素に適用される力ベクトルが該ワークピースの方向にあるとき、該力ベクトルが該固定デバイスを該ワークピースに係合するように作成される、固定デバイス。
［２］
ワークピースにおいて穿孔を通って延在する線状要素を留めるための固定デバイスであって、該固定デバイスは、
ａ．該固定デバイスの変形後にワークピースを係合するように形作られた１つの端部上に接触表面を有する基部部分であって、該基部部分は、該デバイスの長手方向軸と関連付けられた重複表面を含む静止状態で非平面の方向を有する、基部部分と、
ｂ．該接触部分の頂点部分であって、該接触表面と反対の頂点部分と、
ｃ．該デバイスの部分的な変形後に線状要素を収容するように形作られたグルーブ、スロット、チャンネル、または受容輪郭であって、該デバイスが部分的に変形されるとき、該グルーブ、スロット、チャンネル、または受容輪郭は、基部部分および頂点部分を通って延在する、グルーブ、スロット、チャンネル、または受容輪郭と
を備え、
ｄ．該部分的に変形された状態で、該グルーブ、スロット、チャンネル、または受容輪郭は、該固定デバイスの該長手方向軸を画定し、
該固定デバイスは、変形の完了によって該固定デバイスの該長手方向軸と関連付けられて該重複表面が移動することが可能であるように作成され、部分的な変形時に該変形および移動が該固定デバイスの該グルーブ、スロット、チャンネル、または受容輪郭に中に位置付けられる線状要素を留めるようにし、
該線状要素がワークピースを通って延在しかつこのように留められる線状要素に適用される力ベクトルが該ワークピースの方向にあるとき、該力ベクトルが該固定デバイスを該ワークピースに係合するように作成される、固定デバイス。
［３］
ワークピースにおいて穿孔を通って延在する線状要素を留めるための固定デバイスであって、該固定デバイスは、
ａ．ワークピースを係合するように形作られた１つの端部上に接触表面を有する基部部分と、
ｂ．接触部分の頂点部分であって、該頂点部分は、接触表面と反対にあり、該頂点部分は、該デバイスの長手方向軸と関連付けられた重複表面を含む静止状態で非平面の方向を示す、頂点部分と、
ｃ．該デバイスの部分的な変形後に線状要素を収容するように形作られたグルーブ、スロット、チャンネル、または受容輪郭であって、該デバイスが部分的に変形されるとき、該グルーブ、スロット、チャンネル、または受容輪郭は、基部部分および頂点部分を通って延在する、グルーブ、スロット、チャンネル、または受容輪郭と
を備え、
ｄ．該部分的に変形された状態で、該グルーブ、スロット、チャンネル、または受容輪郭は、該固定デバイスの該長手方向軸を画定し、
該固定デバイスは、変形の完了によって該固定デバイスの該長手方向軸と関連付けられて該重複表面が入れ換えられることが可能であるように作成され、部分的な変形時に該変形および入れ換えが該固定デバイスの該グルーブ、スロット、チャンネル、または受容輪郭の中に位置付けられる線状要素を留めるようにし、
該線状要素がワークピースを通って延在しかつこのように留められる線状要素に適用される力ベクトルが該ワークピースの方向にあるとき、該力ベクトルが該固定デバイスを該ワークピースに係合するように作成される、固定デバイス。
［４］
（１）、（２）または（３）のような２つの固定デバイスを示す二固定デバイスであって、
ａ．該個々の固定デバイスは、それぞれのデバイスの頂点末端で接続され、それぞれの個々の固定デバイスの中の線状要素を収容するように形作られる前記グルーブ、スロット、チャンネル、または受容輪郭が、該二固定デバイスの全体に沿って共通のグルーブ、スロット、チャンネル、または受容輪郭を生成するように整列され、
ｂ．共通の線状要素が該共通のグルーブ、スロット、チャンネル、または受容輪郭の中に位置付けられる一方で、それぞれの個々の固定デバイスは、同時または順に別個に配置可能であり、
ｃ．個々の固定デバイスの間の該接続が変形の配置および分離後に２つの独立して機能する固定デバイスを生成するように分割可能である、二固定デバイス。
［５］
前記配置変形が前記固定デバイスに適用される機械力によって誘引され得るように展性のある材料で作成される、［１〜４］のような固定デバイス。
［６］
変形が熱、超音波、または他のエネルギー源の適用によって容易にされ得るような材料で作成される、［１〜４］のような固定デバイス。
［７］
変形が曲げまたは折り重ねることによって達成される、［１〜４］のような固定デバイス。
［８］
前記頂点区分が前記基部区分の中のチャンネルの中へ折り重ねられることが可能である、［１］または［４］のような固定デバイス。
［９］
前記デバイスが、相互作用するピン、スロット、タブ、グルーブ、ノッチ、または前記配置状態を安定させるように相互作用することが可能である他の表面の輪郭の特徴を示す、［１〜４］のような固定デバイス。
［１０］
前記デバイスの少なくとも１つの表面上で接着剤層を示す、［１〜４］のような固定デバイス。
［１１］
基部部分と頂点部分との間で移行区域を示す［１〜４］のような固定デバイスであって、
ａ．該移行区域における前記基部部分と前記頂点部分との分離は、切断、圧縮、歪曲、ねじり、加熱、破壊、または他の手段によって達成されることが可能であり、
ｂ．前記含まれた線状要素を留める前記グルーブ、スロット、チャンネル、または受容輪郭の圧縮を解放する該基部部分と該頂点部分との該分離は、該配置された固定デバイスからの該線状要素の分離を可能にする、［１〜４］のような固定デバイス。
［１２］
前記頂点部分または前記頂点部分と前記基部部分との間の移行区域は、配置中該固定デバイスに取り付けられたままである展性のあるクリップによって変形されることが可能である、［１〜４］のような固定デバイス。
［１３］
二次的な表面のグルーブ、スロット、チャンネル、ノッチ、または配置後に前記固定デバイスの中に前記留められた線状デバイスにアクセスすることを可能にする他の表面輪郭を有する、［１〜４］のような固定デバイス。
［１４］
前記共通のチャンネルの中で、線状要素を留めるのを助長する隆起、グルーブ、棚、ねじ山、接着剤層、または他の表面の特徴を示す、［１〜４］のようなデバイス。
［１５］
スロット、グルーブ、穴、斜面、平らにされた表面、またはデバイスの配置または取り外しを助長する他の表面の特性を示す、［１〜４］のようなデバイス。
［１６］
前記固定部分がタブ、翼、フランジ、または含まれた線状要素を二次的に適合させるかあるいは解放するように使用されることが可能である他の表面の特徴を示す、［１〜４］のようなデバイス。
［１７］
前記基部プレートまたは前記固定部分は、穴、穿孔、チャンネル、または他の表面の特徴を示す、［１］および［２］のようなデバイス。
［１８］
前記基部プレートおよび／または前記固定部分は、穴、穿孔、チャンネル、または他の表面の特徴を示し、
ａ．該穴、穿孔、チャンネル、または他の表面の特徴は、該基部部分をワークピースに固定するように利用されることが可能であり、
ｂ．ワークピースに対する該基部部分の該固定は、接着、縫合、裁縫、ピン、ねじ、または他の機構を含む様々な手段によって達成され、
ｃ．一旦線状要素を留めるように配置されかつ該線状要素が通って出現する該ワークピースに固定されると、該線状要素が、該ワークピースに向かっておよび該ワークピースから離れてベクトルを強制するように留められるようにする、［１〜４］のようなデバイス。
［１９］
色の変化を示す、［１〜４］のようなデバイス。
［２０］
［１〜４］のようなデバイスのための格納コンテナであって、該格納コンテナは、スロット、グルーブ、ノッチ、またはアプリケータ上へ装填するための方向に該デバイスを保持するように構成される他の表面の特徴を示す、格納コンテナ。
［２１］
前記アプリケータは、前記固定デバイスの個々の装填および配置を可能にする、［１〜４］のようなデバイスのためのアプリケータ。
［２２］
前記アプリケータは、複数の前記固定デバイスの装填および配置を可能にする、［１〜４］のようなデバイスのためのアプリケータ。
［２３］
前記アプリケータは、前記固定デバイスが該アプリケータの中に装填される部分に沿って波、グルーブ、または他の表面の特徴を示し、該波、グルーブ、または他の表面の特徴は、該固定デバイスの一様でない変形をもたらす、［１〜４］のようなデバイスのためのアプリケータ。
［２４］
前記アプリケータは、圧縮表面および切断表面を同時に示す、［１〜４］のようなデバイスのためのアプリケータ。
［２５］
前記アプリケータは、二方向圧縮表面および／または切断表面を示す、［１〜４］のようなデバイスのためのアプリケータ。
［２６］
［１］および［２］のようなデバイスのためのアプリケータ。
［２７］
前記共通のチャンネルの中心によって画定される軸の周りを回転するとき、前記デバイスは、対称的である、［１］および［２］のようなデバイス。
［２８］
前記共通のチャンネルの中心によって画定される軸の周りを回転するとき、前記基部プレートは、一様でない半径を有する、［１］および［２］のようなデバイス。
［２９］
前記共通のチャンネルの中心によって画定される軸の周りを回転するとき、前記中心固定部分は、非対称な半径を有する、［１］および［２］のようなデバイス。
［３０］
前記デバイスは、基部プレートの側面表面から前記共通のチャンネルまで延在するスロットまたはグルーブを示す、［１］および［２］のような固定デバイス。
［３１］
前記デバイスは、中心固定部分の側から前記共通のチャンネルまで延在するスロットまたはグルーブを示す、［１］および［２］のようなデバイス。
（例示的な実施形態）
［１］
１つの側で本質的に平坦な表面を示す基部プレートを備えるデバイスであって、
該基部プレートは、該基部プレートの側であって、該本質的に平坦な表面と反対の側で中心固定部分に接続され、
該組み合わせられた基部プレートおよび中心固定部分は、基部プレートおよび中心固定部分を通る線状要素の位置付けを可能にする共通のチャンネルまたは経路を含み、
該中心固定部分は、意図的に変形されることが可能であり、このような変形が該共通のチャンネルの構成における次の変化を引き起こす、デバイス。
［２］
２つの基部プレートを備えるデバイスであって、該２つの基部プレートのそれぞれは、１つの側で本質的に平坦な表面を示し、
該基部プレートは、該基部プレートの側であって、該平坦な表面と反対の側で中心固定部分にそれぞれ接続されており、
該中心固定部分は、該基部プレートの該中心固定部分の一部であって、該基部プレートの該本質的に平坦な表面と反対の一部で接続され、
該基部プレートおよび中心固定部分は、両基部プレートおよび両中心固定部分を通る線状要素の位置付けを可能にする共通のチャンネルまたは経路を含み、
両方の中心固定部分は、意図的に変形されることが可能であり、このような変形が該共通のチャンネルの構成における次の変化を引き起こす、デバイス。
［３］
前記共通のチャンネルの中心によって画定される軸の周りを回転するとき、前記デバイスは、対称的である、［１］および［２］のようなデバイス。
［４］
前記共通のチャンネルの中心によって画定される軸の周りを回転するとき、前記基部プレートは、一様でない半径を有する、［１］および［２］のようなデバイス。
［５］
前記共通のチャンネルの中心によって画定される軸の周りを回転するとき、前記中心固定部分は、非対称な半径を有する、［１］および［２］のようなデバイス。
［６］
中心固定部分は、中心固定部分が直接接続される基部プレートとの前記中心固定部分の結合部付近で絞り部を示す、［１］および［２］のようなデバイス。
［７］
中心固定部分は、基部プレートに直接接続されない該中心部分の末端付近で絞り部を示す、［１］および［２］のようなデバイス。
［８］
前記デバイスは、基部プレートの側面表面から前記共通のチャンネルまで延在するスロットまたはグルーブを示す、［１］および［２］のようなデバイス。
［９］
前記デバイスは、中心固定部分の側から前記共通のチャンネルまで延在するスロットまたはグルーブを示す、［１］および［２］のようなデバイス。
［１０］
前記共通のチャンネルに適用される接着剤層を示す、［１］および［２］のようなデバイス。
［１１］
前記共通のチャンネルの中で、隆起、グルーブ、棚、ねじ山、または他のテクスチャの特徴を示す、［１］および［２］のようなデバイス。
［１２］
方向または取り外しを助長するように色の変化を示す、［１］および［２］のようなデバイス。
［１３］
スロット、穴、斜面、平らにされた表面、またはデバイスの設置または取り外しを助長する他の表面の特性を示す、［１］および［２］のようなデバイス。
［１４］
前記固定チャンネルは、圧縮力の適用によって変形されることが可能である、［１］および［２］のようなデバイス。
［１５］
前記固定チャンネルは、熱の制御された適用によって変形されることが可能である、［１］および［２］のようなデバイス。
［１６］
前記固定部分は、タブ、翼、フランジ、または含まれる線状要素を解放するために該固定部分を二次的に改変するように使用されることが可能である他の表面の特徴を示す、［１］および［２］のようなデバイス。
［１７］
一旦変形されると、中心部分および接続された基部プレートは、切断、圧縮、歪曲、ねじり、溶解、破壊、または他の手段によって分離されることが可能である、［１］および［２］のようなデバイス。
［１８］
前記基部プレートまたは前記固定部分は、穴または穿孔を示す、［１］および［２］のようなデバイス。
［１９］
対向する固定部分または基部プレート間の色の差異を示す、［２］のようなデバイス。
［２０］
前記長手方向軸に沿った非対称性を示す、［２］のようなデバイス。
［２１］
前記アプリケータは、一様な方法で前記固定部分を変形するように形作られる、［１］および［２］のようなデバイスのためのアプリケータ。
［２２］
前記アプリケータは、一様でない方法で前記固定部分を変形するように形作られる、［１］および［２］のようなデバイスのためのアプリケータ。
［２３］
前記アプリケータは、基部プレートの前記本質的に平坦な表面と反対の固定部分の末端整列するように位置付けられる切断表面を示す、［１］および［２］のようなデバイスのためのアプリケータ。
［２４］
前記アプリケータは、圧縮表面と切断表面とを同時に示す、［１］および［２］のようなデバイスのためのアプリケータ。
［２５］
［１］および［２］のようなデバイスのためのアプリケータ。
［２６］
［１］および［２］のようなデバイスのための格納コンテナであって、該格納コンテナは、スロット、グルーブ、ノッチ、またはアプリケータ上へ装填するための方向に該デバイスを保持するように構成される他の表面の特徴を示す、格納コンテナ。
［２７］
［１］および／または［２］のような２つまたはそれより多いデバイスを保持することが可能なマルチ装填アプリケータであって、該デバイスの前記共通のチャンネルまたは経路が平行であるようにする、マルチ装填アプリケータ。
［２８］
［１］および／または［２］のような２つまたはそれより多いデバイスを保持することが可能なマルチ装填アプリケータであって、該デバイスの前記共通のチャンネルまたは経路が単一の軸に沿って整列されるようにする、マルチ装填アプリケータ。
【００９４】
本開示を捕捉するために、この出願は、参照によって、以下の共通に譲渡された特許出願公報、および特許出願を全体的に組み入れる：Ｆｏｒｃｅ  Ｍｏｄｕｌａｔｉｎｇ  Ｔｉｓｓｕｅ  Ｂｒｉｄｇｅ（Ｅａｖｅｓ）に関する国際特許出願公開番号ＷＯ  ２０１２／１３５７３５、２０１１年３月３１日に出願されたＰｒｅ−Ｔｅｎｓｉｏｎｅｄ／Ｐｒｅ−Ｓｔｒｅｓｓｅｄ  Ｄｅｖｉｃｅ（Ｅａｖｅｓ）に関する米国特許出願番号６１／４６９，９６６、２０１１年３月３１日に出願されたＤｅｖｉｃｅ  ａｎｄ  Ｍｅｔｈｏｄ  ｆｏｒ  Ａｐｐｌｙｉｎｇ  ａ  Ｐｒｅ−Ｔｅｎｓｉｏｎｅｄ  Ｅｌｅｍｅｎｔ  ｔｏ  Ｏｐｐｏｓｉｎｇ  Ｓｕｒｆａｃｅｓ（Ｅａｖｅｓ）に関する米国特許出願番号６１／４７０，１５８、Ｒｅｍｏｖａｂｌｅ  Ｃｏｖｅｒｉｎｇ  ａｎｄ  Ｉｎｔｅｒａｃｔｉｖｅ  Ｐａｃｋａｇｉｎｇ（Ｅａｖｅｓ）に関する国際特許出願公報番号ＷＯ  ２０１３／０５９６００、２０１２年６月１日に出願されたＲｅｍｏｖａｂｌｅ  Ｃｏｖｅｒｉｎｇ  ａｎｄ  Ｉｎｔｅｒａｃｔｉｖｅ  Ｐａｃｋａｇｉｎｇ（Ｅａｖｅｓ）に関する米国特許出願番号６１／６５４，７４８、２０１１年１０月２０日に出願されたＰｒｏｔｅｃｔｉｖｅ  Ｃｏｖｅｒｉｎｇ  ｆｏｒ  Ａｄｈｅｓｉｖｅ  Ｂａｃｋｅｄ  Ａｒｔｉｃｌｅｓ  ａｎｄ  Ｍｅｔｈｏｄｓ  ｏｆ  Ａｐｐｌｙｉｎｇ  ｔｈｅ  Ｓａｍｅ（Ｅａｖｅｓ）に関する米国特許出願番号６１／５４９，３１７、および２０１１年１１月１８日に出願されたＰｒｏｔｅｃｔｉｖｅ  Ｐａｃｋａｇｉｎｇ  ｆｏｒ  Ａｄｈｅｓｉｖｅ  Ｂａｃｋｅｄ  Ａｒｔｉｃｌｅｓ（Ｅａｖｅｓ）に関する米国特許出願番号６１／５６１，５２２。
【００９５】
明細書および／または図面において、発明の典型的な実施形態が、開示されている。本発明は、このような例示的な実施形態に限定されない。用語「および／または」の使用は、関連した列挙した項目のうちの１つ以上の任意および全ての組み合わせを含む。図面は、概略表現なので、縮尺どおりに必ずしも描かれない。他の様態で注意されない限り、一般的および記述的意味で特定の用語が使用され、限定の目的ではない。
【図１Ａ】
2016501068.tif 000002
【図１Ｂ】
2016501068.tif 000003
【図１Ｃ】
2016501068.tif 000004
【図１Ｄ】
2016501068.tif 000005
【図１Ｅ】
2016501068.tif 000006
【図２Ａ】
2016501068.tif 000007
【図２Ｂ】
2016501068.tif 000008
【図２Ｃ】
2016501068.tif 000009
【図２Ｄ】
2016501068.tif 000010
【図２Ｅ】
2016501068.tif 000011
【図２Ｆ】
2016501068.tif 000012
【図３Ａ】
2016501068.tif 000013
【図３Ｂ】
2016501068.tif 000014
【図３Ｃ】
2016501068.tif 000015
【図３Ｄ】
2016501068.tif 000016
【図３Ｅ】
2016501068.tif 000017
【図３Ｆ】
2016501068.tif 000018
【図４Ａ】
2016501068.tif 000019
【図４Ｂ】
2016501068.tif 000020
【図４Ｃ】
2016501068.tif 000021
【図４Ｄ】
2016501068.tif 000022
【図４Ｅ】
2016501068.tif 000023
【図５Ａ】
2016501068.tif 000024
【図５Ｂ】
2016501068.tif 000025
【図５Ｃ】
2016501068.tif 000026
【図５Ｄ】
2016501068.tif 000027
【図５Ｅ】
2016501068.tif 000028
【図５Ｆ】
2016501068.tif 000029
【図６】
2016501068.tif 000030
【図７Ａ】
2016501068.tif 000031
【図７Ｂ】
2016501068.tif 000032
【図７Ｃ】
2016501068.tif 000033
【図７Ｄ】
2016501068.tif 000034
【図７Ｅ】
2016501068.tif 000035
【図８Ａ】
2016501068.tif 000036
【図８Ｂ】
2016501068.tif 000037
【図８Ｃ】
2016501068.tif 000038
【図９Ａ】
2016501068.tif 000039
【図９Ｂ】
2016501068.tif 000040
【図１０】
2016501068.tif 000041
【図１１Ａ】
2016501068.tif 000042
【図１１Ｂ】
2016501068.tif 000043
【図１１Ｃ】
2016501068.tif 000044
【図１２Ａ】
2016501068.tif 000045
【図１２Ｂ】
2016501068.tif 000046
【図１２Ｃ】
2016501068.tif 000047
【図１２Ｄ】
2016501068.tif 000048
【図１３Ａ】
2016501068.tif 000049
【図１３Ｂ】
2016501068.tif 000050
【図１３Ｃ】
2016501068.tif 000051
【図１３Ｄ】
2016501068.tif 000052
【図１３Ｅ】
2016501068.tif 000053
【図１３Ｆ】
2016501068.tif 000054
【図１３Ｇ】
2016501068.tif 000055
【図１４Ａ】
2016501068.tif 000056
【図１４Ｂ】
2016501068.tif 000057
【図１４Ｃ】
2016501068.tif 000058
【図１４Ｄ】
2016501068.tif 000059
【図１４Ｅ】
2016501068.tif 000060
【図１５Ａ】
2016501068.tif 000061
【図１５Ｂ】
2016501068.tif 000062
【図１５Ｃ】
2016501068.tif 000063
【図１５Ｄ】
2016501068.tif 000064
【図１６Ａ】
2016501068.tif 000065
【図１６Ｂ】
2016501068.tif 000066
【図１６Ｃ】
2016501068.tif 000067
【図１６Ｄ】
2016501068.tif 000068
【図１６Ｅ】
2016501068.tif 000069
【図１７Ａ】
2016501068.tif 000070
【図１７Ｂ】
2016501068.tif 000071
【図１８Ａ】
2016501068.tif 000072
【図１８Ｂ】
2016501068.tif 000073
【図１８Ｃ】
2016501068.tif 000074
【図１８Ｄ】
2016501068.tif 000075
【図１９Ａ】
2016501068.tif 000076
【図１９Ｂ】
2016501068.tif 000077
【図１９Ｃ】
2016501068.tif 000078
【図１９Ｄ】
2016501068.tif 000079
【図１９Ｅ】
2016501068.tif 000080
【図１９Ｆ】
2016501068.tif 000081
【図２０Ａ】
2016501068.tif 000082
【図２０Ｂ】
2016501068.tif 000083
【図２０Ｃ】
2016501068.tif 000084
【図２０Ｄ】
2016501068.tif 000085
【図２０Ｅ】
2016501068.tif 000086
【図２１Ａ】
2016501068.tif 000087
【図２１Ｂ】
2016501068.tif 000088
【図２１Ｃ】
2016501068.tif 000089
【図２１Ｄ】
2016501068.tif 000090
【図２２Ａ】
2016501068.tif 000091
【図２２Ｂ】
2016501068.tif 000092
【図２２Ｃ】
2016501068.tif 000093
【図２２Ｄ】
2016501068.tif 000094
【図２３Ａ】
2016501068.tif 000095
【図２３Ｂ】
2016501068.tif 000096
【図２３Ｃ】
2016501068.tif 000097
【図２３Ｄ】
2016501068.tif 000098
【国際調査報告】
2016501068.tif 000099
2016501068.tif 000100